(57)【要約】【課題】ピンセットによりコイルスプリングを圧縮したとき、無駄毛をしっかりと掴むことができて、局所的な無駄毛切りであっても、ピンセットとコイルスプリングの長所を十分生かしながらスムーズ感を持って行える無駄毛切りを提供すること。【解決手段】互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛切り１００であって、コイルスプリング２０を構成している各コイル部分について、その圧縮方向の一側面に前記圧縮方向に略直交する当接平面を形成するとともに、その他側面に前記当接平面に向けて突出する突条２３を形成したこと。【選択図】図１
2018149243.tif 000002
【特許請求の範囲】
【請求項１】
互いに対向する一対のピンセット腕を指で挟むことにより、これらのピンセット腕の先端部を閉じるピンセット本体と、前記各ピンセット腕の先端部間に取り付けられて、前記各先端部が閉じられたとき圧縮されるコイルスプリングとからなるピンセット型の無駄毛切りであって、
前記コイルスプリングを構成している各コイル部分について、その圧縮方向の一側面に前記圧縮方向に略直交する当接平面を形成するとともに、その他側面に前記当接平面に向けて突出する突条を形成して、前記コイルスプリングが圧縮されたとき、各コイル部分の各当接平面に前記各突条を当接させて、これらの当接平面と突条との間に入った前記無駄毛を切るようにしたことを特徴とするピンセット型の無駄毛切り。
【請求項２】
前記コイルスプリング内に案内軸を配置することにより、この案内軸によって各コイル部分の収縮及び拡開時の動きを案内するようにしたことを特徴とする請求項１に記載のピンセット型の無駄毛切り。
【発明の詳細な説明】
【技術分野】
【０００１】
本発明は、ピンセット本体とコイルスプリングとからなる、ピンセット型の無駄毛切りに関するものである。
【背景技術】
【０００２】
人体には、様々な箇所に、また、年齢に応じて男女を問わず、色んな無駄毛が生える。これらの無駄毛は、脛等の人目に付き易い部分に生えれば除去したいし、耳穴や鼻孔に生えればムズムズするので、これも除去したい。
【０００３】
このような無駄毛を除去する器具や装置としては、剃刀や髭剃りを筆頭に挙げることができるが、他にもレーザー光を使用するものなど、従来より種々なものが提案されてきている。例えば、使用者本人が手で持って使用する手動型のものに限っても、特許文献１〜２、及び本願の図７に示すような「スプリング型」のものが知られている。
【先行技術文献】
【特許文献】
【０００４】
【特許文献１】特開２００１−３２７３２２号公報、要約、代表図
【特許文献２】特開２００４−２１５９６７号公報、要約、代表図
【発明の概要】
【発明が解決しようとする課題】
【０００５】
特許文献１にて提案されている「脱毛装置」は、「手持操作により毛髪を容易に引き抜くことができる美容用の脱毛装置を提供する」ことを目的としてなされたもので、図７の（ａ）に示すように、「先端部が開口部４に臨むように挟持金具１５を保持した前後動可能なホルダー１６と、後退移動により挟持金具１５に毛髪を挟持させるスライダー１７と」を備え、これらを覆う部材や駆動する部材等を多く備える必要のあるものである。一方、特許文献２にて提案されている「脱毛器」は、図７の（ｂ）に示すように、「ピンセット要素１２を有する脱毛器１０に係り、少なくとも前記ピンセット要素１２の表面は、少なくとも３０％の充填材料を有して強化される基本材料を有して少なくとも部分的に作られる。該充填材料を有して強化される基本材料は、モース硬度において少なくとも３である硬度を有する」ものとして構成されるものである。
【０００６】
特許文献１及び２にて提案されている「スプリング型」の脱毛器は、図７の（ａ）または（ｂ）に示すように、圧縮したスプリングで無駄毛を掴み取って、器具全体を移動させて無駄毛を抜き取ることができると考えられるが、スプリングでの無駄毛掴みがよく見えないこともあって、局所的な無駄毛除去ができないだけでなく、器具全体が大きいことから、耳穴や鼻孔内に差し込めず、これらの中の無駄毛を抜いたり切ったりすることはできないと考えられる。
【０００７】
また、特許文献１及び２にて提案されている「スプリング型」の脱毛器は、あくまでも、「無駄毛を抜き取る」ものであるため皮膚に少し痛みを感ずるものであると考えられ、できれば一般的な剃刀や髭剃りのような「スムーズ感」があると良い。
【０００８】
勿論、これらの特許文献１または２にて提案されている「スプリング型」の脱毛器は、スプリング部分を駆動するための部材を必要としていることから、器具全体が大きくなっているだけでなく、電源が必要である等、全体的に複雑なものとなっている。一方で、一般的な剃刀や髭剃りでは、所謂「Ｔ型」でも「Ｌ型」でも耳穴や鼻孔内に差し込めない形状になっていることが多く、これらの中の無駄毛を除去することはできないと考えられる。
【０００９】
そこで、本発明者等は、「ピンセット」と「コイルスプリング」の長所を十分生かすことができて、構造を非常に簡単にしながら、局所的な無駄毛切りをスムーズ感を持って行える無駄毛切りとするにはどうしたらよいか、について種々検討を重ねてきた結果、本発明を完成したのである。
【００１０】
すなわち、本発明の目的とするところは、「ピンセット」により「コイルスプリング」を圧縮したとき、無駄毛をしっかりと掴むことができて、局所的な無駄毛切りであっても、「ピンセット」と「コイルスプリング」の長所を十分生かしながらスムーズ感を持って行える無駄毛切りを、簡単な構造によって提供することにある。
【００１１】
また、本発明の他に目的とするところは、「ピンセット」により「コイルスプリング」が圧縮されたとき、コイルスプリングを構成している各コイル部分が位置ズレしないようにすることができて、局所的な無駄毛切りであっても、「ピンセット」と「コイルスプリング」の長所を十分生かしながらスムーズ感を持って行える無駄毛切りを、簡単な構造によって提供することにある。
【課題を解決するための手段】
【００１２】
以上の課題を解決するために、まず、請求項１に係る発明の採った手段は、後述する最良形態の説明中で使用する符号を付して説明すると、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛切り１００であって、
コイルスプリング２０を構成している各コイル部分２１について、その圧縮方向の一側面に前記圧縮方向に略直交する当接平面２２を形成するとともに、その他側面に当接平面２２に向けて突出する突条２３を形成して、コイルスプリング２０が圧縮されたとき、各コイル部分２１の各当接平面２２に各突条２３を当接させて、これらの当接平面２２と突条２３との間に入った前記無駄毛を切るようにしたことを特徴とするピンセット型の無駄毛切り１００」
である。
【００１３】
すなわち、本発明に係る無駄毛切り１００は、図１に示すように、一般的なピンセット形状のピンセット本体１０を構成している一対のピンセット腕１１の外端部１２間に、圧縮スプリングであるコイルスプリング２０を取り付けたものであり、各ピンセット腕１１を指先で挟むことにより、先端のコイルスプリング２０を圧縮する手動利器である。また、この無駄毛切り１００で採用しているコイルスプリング２０の、非圧縮状態での圧縮方向（図１の（ａ）では、図示上下方向）の長さは、その他の部分での最大となっており、しかも鼻孔や耳穴内に挿入できる程度としてある。つまり、この無駄毛切り１００のコイルスプリング２０は、図１に示す状態でそのまま鼻孔や耳穴内に挿入できるものである。
【００１４】
また、この無駄毛切り１００を構成しているコイルスプリング２０の各コイル部分２１については、図２〜図４に示すように、その圧縮方向の一側面に前記圧縮方向に略直交する当接平面２２を形成するとともに、その他側面に当接平面２２に向けて突出する突条２３を形成して、コイルスプリング２０が圧縮されたとき、各コイル部分２１の各当接平面２２に各突条２３を当接させて、これらの当接平面２２と突条２３との間に入った前記無駄毛を切るようにしてある。この場合、「その他側面」とは、当該コイル部分２１の圧縮方向に対する二つの面の内、当接平面２２を形成した面とは反対側の面のことをいう。従って、各当接平面２２には、隣接している他のコイル部分２１に形成した突条２３が突出することになる。
【００１５】
さて、この無駄毛切り１００におけるコイルスプリング２０は、ピンセット本体１０のピンセット腕１１が開かれた状態にあるときには、図２、及び図４の（ａ）に示すように、その各コイル部分２１の間に均等な幅の隙間が形成されており、これらの隙間は、他の部分に遮られること無く、十分目視できるものとなっている。ここで、除去対象である無駄毛が脛の表面にある場合や鼻孔内にある場合には、当該コイルスプリング２０を目視あるいは鏡に映しながら無駄毛に向かわせれば、無駄毛は各コイル部分２１間の隙間内に容易に入り込む。
【００１６】
一方、無駄毛が耳穴内にある場合は、これを使用者本人が目視したり鏡に映したりすることができず、各コイル部分２１間の隙間の目視もできない。しかしながら、コイルスプリング２０は、図１に示す状態でそのまま耳穴内に挿入できるし、各コイル部分２１の間には均等な幅の隙間が多数形成してあるから、例えば当該コイルスプリング２０を回しながら挿入することによって、無駄毛を各コイル部分２１間の隙間内に入り込ませることができるし、これを敏感な耳穴は感じることもできる。
【００１７】
無駄毛が各コイル部分２１間の隙間内に入り込めば、互いに対向している一対のピンセット腕１１を指で挟むことにより先端部１２を緩く閉じると、例えば図４の（ｂ）に示すように、第一段階として、両側のコイル部分２１が、まず、無駄毛を掴むことになる。
【００１８】
ここで重要なことは、各コイル部分２１について、その圧縮方向の一側面にこの圧縮方向に略直交する当接平面２２が形成してあり、その他側面に当接平面２２に向けて突出する突条２３が形成してあることである。そして、第二段階として、コイルスプリング２０をさらに強く圧縮すると、各コイル部分２１の各当接平面２２に各突条２３が強く当接することになり、これらの当接平面２２と突条２３との間に入っている無駄毛が剪断、つまり切られることになるのである。
【００１９】
この場合、コイルスプリング２０が閉じられたときには、各コイル部分２１の外側全体が、図４の（ｂ）に示すように、短い間隔（各コイル部分２１の直径程度）で連続しているから、圧縮されたコイルスプリング２０は、無駄毛の生えている皮膚表面に痛みを感じさせないで当接することになる。これにより、無駄毛は、各当接平面２２と突条２３とによって掴まれた後、その生え際に近い位置で切られることになるのであるから、特許文献１や２のように引き抜かれるのではなくその位置で切り取られることになって、皮膚に痛みを感じることはなく、スムーズ感を以て除去されるのである。
【００２０】
ここで、各突条２３の、各コイル部分２１に対する形成位置は、図５の（ａ）〜（ｃ）に示した例が代表的に考えられる。図５の（ａ）に示した例は、図２及び図３に示すものであるが、コイルスプリング２０を圧縮したときに突条２３の先端が僅かにズレたとしても、確実に当接平面２２に当接するものであり、無駄毛切りを十分にすることができるものである。図５の（ｂ）に示した例では、各コイル部分２１における突条２３がコイルスプリング２０の一番外側に位置するようにしたもので、特に、この突条２３の外面を、図５の（ｂ）に示すように、当接平面２２に略直交する状態にしておけば、各突条２３の外面が隙間なく皮膚に密着することになり、スムーズ感をより良くできることになるものである。図５の（ｃ）に示した例では、同（ｂ）に示すのとは反対に、各突条２３がコイルスプリング２０の内面を構成するような位置に形成するものであり、後述する案内軸３０を使用するのに適したものである。
【００２１】
以上の通り、除去したい無駄毛の両側は、各コイル部分２１の当接平面２２及び突条２３によってしっかりと掴まれてから両者による剪断がなされることになり、当該無駄毛切り１００全体を動かさないでも、当該無駄毛が皮膚から切り取られることになるのである。
【００２２】
従って、本発明に係る無駄毛切り１００によれば、「ピンセット」により「コイルスプリング」を圧縮したとき、無駄毛をしっかりと掴むことができて、局所的な無駄毛切りであっても、「ピンセット」と「コイルスプリング」の長所を十分生かしながらスムーズ感を持って行える無駄毛切りを行えるのである。
【００２３】
以上の課題を解決するために、請求項２に係る発明の採った手段は、上記請求項１のピンセット型の無駄毛切り１００について、
「コイルスプリング２０内に案内軸３０を配置することにより、この案内軸３０によって各コイル部分２１の収縮及び拡開時の動きを案内するようにしたこと」
である。
【００２４】
この請求項２に係る無駄毛切り１００では、図６に示すように、使用しているコイルスプリング２０内に案内軸３０を配置したものであるが、この案内軸３０の長さは収縮されたコイルスプリング２０の長さ程度であれば十分であり、また、この案内軸３０の直径または外形は、コイルスプリング２０の内面に接触し得る程度で十分である。この案内軸３０がコイルスプリング２０内に配置されていれば、当該コイルスプリング２０のピンセット本体１０による圧縮及び拡開時に、各コイル部分２１の内面が案内軸３０によって案内されるから、この案内軸３０によって各コイル部分２１が案内軸３０の軸心方向に直交する方向に対して位置ズレすることがなく、各コイル部分２１の当接平面２２と突条２３先端との当接を安定した状態で行えることになる。
【００２５】
従って、この請求項２に係る無駄毛切り１００によれば、上記請求項１のそれと同様な機能を発揮する他、コイルスプリング２０を構成している各コイル部分２１が位置ズレしないものとなっているのである。
【発明の効果】
【００２６】
以上説明した通り、請求項１に係る発明においては、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛切り１００であって、
コイルスプリング２０を構成している各コイル部分２１について、その圧縮方向の一側面に前記圧縮方向に略直交する当接平面２２を形成するとともに、その他側面に当接平面２２に向けて突出する突条２３を形成して、コイルスプリング２０が圧縮されたとき、各コイル部分２１の各当接平面２２に各突条２３を当接させて、これらの当接平面２２と突条２３との間に入った前記無駄毛を切るようにしたこと」
にその構成上の特徴があり、これにより、ピンセット本体１０によりコイルスプリング２０を圧縮したとき、無駄毛をしっかりと掴むことができて、局所的な無駄毛切りであっても、ピンセット本体１０とコイルスプリング１０の長所を十分生かしながらスムーズ感を持って行える無駄毛切り１００を、簡単な構造によって提供することができるのである。
【００２７】
また、請求項２に係る発明においては、上記請求項１のピンセット型の無駄毛切り１００について、
「コイルスプリング２０内に案内軸３０を配置することにより、この案内軸３０によって各コイル部分２１の収縮及び拡開時の動きを案内するようにしたこと」
にその構成上の特徴があり、これにより、ピンセット本体１０によりコイルスプリング２０が圧縮されたとき、コイルスプリング２０を構成している各コイル部分２１が位置ズレしないようにすることができて、局所的な無駄毛切りであっても、ピンセット１０とコイルスプリング２０の長所を十分生かしながらスムーズ感を持って行える無駄毛切り１００を、簡単な構造によって提供することができるのである。
【図面の簡単な説明】
【００２８】
【図１】本発明に係る無駄毛切り１００を拡大して示すもので、（ａ）は正面図、（ｂ）は平面図である。
【図２】同無駄毛切り１００を構成していて圧縮されていない状態のコイルスプリング２０を拡大して示すもので、（ａ）は正面図、（ｂ）は（ａ）中の１−１線に沿って見た断面図である。
【図３】同無駄毛切り１００を構成していて圧縮された状態のコイルスプリング２０を拡大して示すもので、（ａ）は正面図、（ｂ）は（ａ）中の２−２線に沿って見た断面図である。
【図４】コイルスプリング２０の一部断面を示すもので、（ａ）は各コイル部分２１が圧縮されていない状態の部分拡大断面図、（ｂ）は各コイル部分２１が圧縮されていて一対のコイル部分２１間に無駄毛を掴んで切っている状態の部分拡大断面図である。
【図５】各突条２３に形成した突条２３の先端部の当接平面２２に対する位置を変化させた状態を示すもので、（ａ）は突条２３の先端が当接平面２２の中程にある場合の断面図、（ｂ）は突条２３の先端が当接平面２２の一番外側にある場合の断面図、（ｃ）は突条２３の先端が当接平面２２の一番内側にある場合の断面図である。
【図６】案内軸３０を使用した実施例を概略的に示す断面図である。
【図７】従来の技術を示すもので、（ａ）は特許文献１で提案されている脱毛装置の断面図、（ｂ）は特許文献２で提案されている脱毛装置の断面図である。
【発明を実施するための形態】
【００２９】
次に、以上のように構成した各請求項に係る発明を、図面に示した実施の形態である無駄毛切り１００について説明すると、図１の（ａ）には、ピンセット本体１０とコイルスプリング２０とによって構成した無駄毛切り１００の正面図が示してあり、図１の（ｂ）には、同無駄毛切り１００の平面図が示してある。
【００３０】
ピンセット本体１０は、一般的なそれと同様に、互いに対向し合う一対のピンセット腕１１の基端部（図１では図示左側部分）を折り曲げまたは連結したものであり、力を加えない状態では、図１に示したように、両ピンセット腕１１がその各外端部１２を開いた状態に維持できるような弾性力を有したものである。
【００３１】
本実施形態における各ピンセット腕１１の外端部１２には、図１の（ｂ）に示したように、バネ留め溝１３が形成してあり、このバネ留め溝１３内には、後述するコイルスプリング２０の両外端に位置するコイル部分２１が係止され、この係止部分では必要に応じて溶接等の手段によって両者の固定がなされる。なお、この係止部分やその溶接部分では、人の皮膚に傷を付ける可能性のある突起（後述するコイルスプリング２０の切断端部）やバリ（溶接した場合）が残ることがあるが、これらは研磨等の手段によって除去される。
【００３２】
また、無駄毛切り１００を構成しているコイルスプリング２０は圧縮スプリングであるが、図１に示したように、一般的なピンセット形状のピンセット本体１０を構成している一対のピンセット腕１１の外端部１２間に取り付けたものであり、各ピンセット腕１１を指先で挟むことにより圧縮されるものである。これにより、本実施形態の無駄毛切り１００は、ピンセット本体１０の操作により、先端のコイルスプリング２０を圧縮する手動利器である。
【００３３】
このコイルスプリング２０は、図１の（ａ）に示した非圧縮状態での長さが７ｍｍ〜１０ｍｍ程度であり、連続している各コイル部分２１の直径が３ｍｍ〜５ｍｍ程度のものであり、鼻孔や耳穴内に挿入できる程度としてある。つまり、この無駄毛切り１００のコイルスプリング２０は、図１に示した状態でそのまま鼻孔や耳穴内に挿入できるものである。そして、このコイルスプリング２０は、両ピンセット腕１１の各外端部１２が閉じられないときには、図２に示したように、各コイル部分２１間に無駄毛が入り込める隙間を構成すべく開かれるものであり、各外端部１２が閉じられたときには、図３に示したように、各コイル部分２１間に隙間がないように圧縮されるものである。本実施形態においては、上記の長さのコイルスプリング２０について、コイル部分２１（コイルスプリング２０の一回り分を言う）の数が７〜１２程度となるようにしてある。
【００３４】
また、この無駄毛切り１００を構成しているコイルスプリング２０の各コイル部分２１については、図２〜図４に示すように、その圧縮方向の一側面に前記圧縮方向に略直交する当接平面２２を形成するとともに、その他側面に当接平面２２に向けて突出する突条２３を形成して、コイルスプリング２０が圧縮されたとき、各コイル部分２１の各当接平面２２に各突条２３を当接させて、これらの当接平面２２と突条２３との間に入った前記無駄毛を切るようにしてある。
【００３５】
さて、この無駄毛切り１００におけるコイルスプリング２０は、ピンセット本体１０のピンセット腕１１が開かれた状態にあるときには、図２、及び図４の（ａ）に示すように、その各コイル部分２１の間に均等な幅の隙間が形成されており、これらの隙間は、他の部分に遮られること無く、十分目視できるものとなっている。ここで、除去対象である無駄毛が脛の表面にある場合や鼻孔内にある場合には、当該コイルスプリング２０を目視あるいは鏡に映しながら無駄毛に向かわせれば、無駄毛を各コイル部分２１間の隙間内に入れることができる。
【００３６】
一方、無駄毛が耳穴内にある場合は、これを使用者本人が目視したり鏡に映したりすることができず、各コイル部分２１間の隙間の目視もできない。しかしながら、コイルスプリング２０は、図１に示す状態でそのまま耳穴内に挿入できるし、各コイル部分２１の間には均等な幅の隙間が多数形成してあるから、例えば当該コイルスプリング２０を回しながら挿入することによって、無駄毛を各コイル部分２１間の隙間内に入り込ませることができる。
【００３７】
無駄毛が各コイル部分２１間の隙間内に入り込めば、互いに対向している一対のピンセット腕１１を指で挟むことにより先端部１２を緩く閉じると、例えば図４の（ｂ）に示すように、第一段階として、両側のコイル部分２１が、まず、無駄毛を掴むことになる。
【００３８】
この実施形態におけるコイルスプリング２０で重要なことは、図２及び図３の各（ｂ）にて示したように、当該コイルスプリング２０を構成している各コイル部分２１について、その圧縮方向の一側面にこの圧縮方向に直交する当接平面２２を形成するとともに、その他側面に当接平面２２に向けて突出する突条２３を形成してあることである。その理由は、当該無駄毛切り１００を構成しているピンセット本体１０を操作することにより、その各ピンセット腕１１の先端部１２間に取り付けてあるコイルスプリング２０を圧縮したとき、各コイル部分２１の当接平面２２に突条２３が当接することにより、これらの当接平面２２及び突条２３の間になった無駄毛を剪断、つまり切るためである。
【００３９】
そのため、各突条２３の先端（突条の山となっている部分）の形状は、図４にも示したように、「刃の先端」のような形状にしておくのが最も効果的である。また、これら各突条２３の形成位置としては、代表的に、図５の（ａ）〜（ｃ）に示したように、突条２３の山部が、当接平面２２に対して中央に位置する場合（ａ）、最外端に位置する場合（ｂ）、及び最内端に位置する場合（ｃ）が考えられる。
【００４０】
各突条２３の代表的な位置として、図５の（ａ）に示した例では、図２及び図３に示したものであるが、コイルスプリング２０を圧縮したときに突条２３の先端が僅かにズレたとしても、確実に当接平面２２に当接するものであり、無駄毛切りを十分にすることができるものである。図５の（ｂ）に示した例では、各コイル部分２１における突条２３がコイルスプリング２０の一番外側に位置するようにしたもので、特に、この突条２３の外面を、図５の（ｂ）に示すように、当接平面２２に略直交する状態にしておけば、各突条２３の外面が隙間なく皮膚に密着することになり、スムーズ感をより良くできることになるものである。図５の（ｃ）に示した例では、同（ｂ）に示すのとは反対に、各突条２３がコイルスプリング２０の内面を構成するような位置に形成するものであり、後述する案内軸３０を使用するのに適したものである。
【００４１】
図６は、請求項２に係る無駄毛切り１００を説明するものであり、この例では、使用しているコイルスプリング２０内に案内軸３０を配置したものであるが、この案内軸３０の長さは収縮されたコイルスプリング２０の長さ程度であれば十分であり、また、この案内軸３０の直径または外形は、コイルスプリング２０の内面に接触し得る程度で十分である。この案内軸３０をコイルスプリング２０内に配置しておけば、当該コイルスプリング２０のピンセット本体１０による圧縮及び拡開時に、各コイル部分２１の内面が案内軸３０によって案内されるから、この案内軸３０によって各コイル部分２１が案内軸３０の軸心方向に直交する方向に対して位置ズレすることがなく、各コイル部分２１の当接平面２２と突条２３先端との当接を安定した状態で行えることになる。
【符号の説明】
【００４２】
１００    無駄毛抜き
１０    ピンセット本体
１１    ピンセット腕
１２    外端部
１３    バネ留め溝
２０    コイルスプリング
２１    コイル部分
２２    当接平面
２３    突条
３０    案内軸
【図１】
2018149243.tif 000003
【図２】
2018149243.tif 000004
【図３】
2018149243.tif 000005
【図４】
2018149243.tif 000006
【図５】
2018149243.tif 000007
【図６】
2018149243.tif 000008
【図７】
2018149243.tif 000009